(57)【要約】【課題】  従来よりも簡易かつ正確にＳＳＢ信号を位相検波して正確な受信信号を得ることが可能なＳＳＢ受信装置を提供することにある。【解決手段】  搬送波が付加されたＳＳＢ受信信号１０を搬送波出力３３および２つの同一の信号出力３１、３２に分離する搬送波／信号分離回路３０と、搬送波／信号分離回路３０で得られる一方の信号出力３１に搬送波出力３３を合成すると共に、他方の信号出力３２に搬送波出力３３の位相を反転させた搬送波出力を合成する搬送波・信号再合成回路４０と、搬送波・信号再合成回路４０の２つの出力５１、６１をそれぞれ別々に位相検波する位相検波回路５０、６０と、得られる２つの位相検波出力５２、６２を演算してベースバンド復調信号を得る演算回路７０とを備える。【選択図】        図２
2005328184.tif 000002
【特許請求の範囲】
【請求項１】
搬送波が付加されたＳＳＢ信号を復調するＳＳＢ信号受信装置において、
前記搬送波が付加されたＳＳＢ信号を搬送波出力および２つの同一の信号出力に分離する搬送波／信号分離手段と、
前記搬送波／信号分離手段で得られる前記２つの信号出力の一方に前記搬送波出力を合成すると共に、前記２つの信号出力の他方に前記搬送波出力を位相反転させた搬送波出力を合成する搬送波・信号再合成手段と、
前記搬送波・信号再合成手段の２つの出力をそれぞれ別々に位相検波する位相検波手段と、
前記位相検波手段で得られる２つの位相検波出力を演算してベースバンド復調信号を得る演算手段と
を備えたことを特徴とするＳＳＢ信号受信装置。
【請求項２】
搬送波が付加されたＳＳＢ信号を復調するＳＳＢ信号受信装置において、
前記搬送波が付加されたＳＳＢ信号を搬送波出力および２つの同一の信号出力に分離する搬送波／信号分離手段と、
前記搬送波／信号分離手段の出力に得られる前記搬送波出力を分配し、前記分配された２つの搬送波出力を異なる利得で増幅し、前記異なる利得で増幅された搬送波出力を前記搬送波／信号分離手段で得られる前記２つの信号出力にそれぞれ合成する搬送波・信号再合成手段と、
前記搬送波・信号再合成手段の２つの出力をそれぞれ別々に位相検波する位相検波手段と、
前記位相検波手段で得られる２つの位相検波出力を演算してベースバンド復調信号を得る演算手段と
を備えたことを特徴とするＳＳＢ信号受信装置。
【請求項３】
搬送波が付加されたＳＳＢ信号を復調するＳＳＢ信号受信装置において、
前記搬送波が付加されたＳＳＢ信号を搬送波出力および２つの同一の信号出力に分離する搬送波／信号分離手段と、
前記搬送波／信号分離手段の出力に得られる前記搬送波出力を分配し、前記分配された２つの搬送波出力を異なる位相に移相し、前記位相の異なる搬送波出力を前記搬送波／信号分離手段で得られる前記２つの信号出力にそれぞれ合成する搬送波・信号再合成手段と、
前記搬送波・信号再合成手段の２つの出力をそれぞれ別々に位相検波する位相検波手段と、
前記位相検波手段で得られる２つの位相検波出力を演算してベースバンド復調信号を得る演算手段と
を備えたことを特徴とするＳＳＢ信号受信装置。
【発明の詳細な説明】
【技術分野】
【０００１】
本発明は振幅歪を含む単側波帯（ＳＳＢ）信号の受信装置に関し、特に、中波放送、短波放送、業務用連絡無線などの受信装置に適用して有効な技術に関するものである。
【背景技術】
【０００２】
従来、特許文献１の「ＳＳＢ受信装置」にあるように、搬送波付きのＳＳＢ信号を振幅情報からではなく位相情報から復調する方式があった。この方式は、図１に示すように位相検波を行った後、歪除去回路により受信信号を得る方法であった。
【０００３】
【特許文献１】特公平６−１８３３３号公報
【発明の開示】
【発明が解決しようとする課題】
【０００４】
しかしながら、特許文献１の方法では、原理的に近似解しか得られないため、実用に供するのに十分な復調信号を取り出すためには演算が複雑であるという問題があった。
【０００５】
本発明は、このような問題に鑑みてなされたものであり、本発明の目的は、従来よりも簡易かつ正確にＳＳＢ信号を位相検波して正確な受信信号を得ることが可能なＳＳＢ受信装置を提供することにある。
【０００６】
本発明の前記ならびにその他の目的と新規な特徴は、本明細書の記述および添付図面によって明らかになるであろう。
【課題を解決するための手段】
【０００７】
本願において開示される発明のうち、代表的なものの概要を簡単に説明すれば、下記のとおりである。
【０００８】
（１）搬送波が付加されたＳＳＢ信号を復調するＳＳＢ信号受信装置において、前記搬送波が付加されたＳＳＢ信号を搬送波出力および２つの同一の信号出力に分離する搬送波／信号分離手段と、前記搬送波／信号分離手段で得られる前記２つの信号出力の一方に前記搬送波出力を合成すると共に、前記２つの信号出力の他方に前記搬送波出力を位相反転させた搬送波出力を合成する搬送波・信号再合成手段と、前記搬送波・信号再合成手段の２つの出力をそれぞれ別々に位相検波する位相検波手段と、前記位相検波手段で得られる２つの位相検波出力を演算してベースバンド復調信号を得る演算手段とを備える。
【０００９】
（２）搬送波が付加されたＳＳＢ信号を復調するＳＳＢ信号受信装置において、前記搬送波が付加されたＳＳＢ信号を搬送波出力および２つの同一の信号出力に分離する搬送波／信号分離手段と、前記搬送波／信号分離手段の出力に得られる前記搬送波出力を分配し、前記分配された２つの搬送波出力を異なる利得で増幅し、前記異なる利得で増幅された搬送波出力を前記搬送波／信号分離手段で得られる前記２つの信号出力にそれぞれ合成する搬送波・信号再合成手段と、前記搬送波・信号再合成手段の２つの出力をそれぞれ別々に位相検波する位相検波手段と、前記位相検波手段で得られる２つの位相検波出力を演算してベースバンド復調信号を得る演算手段とを備える。
【００１０】
（３）搬送波が付加されたＳＳＢ信号を復調するＳＳＢ信号受信装置において、前記搬送波が付加されたＳＳＢ信号を搬送波出力および２つの同一の信号出力に分離する搬送波／信号分離手段と、前記搬送波／信号分離手段の出力に得られる前記搬送波出力を分配し、前記分配された２つの搬送波出力を異なる位相に移相し、前記位相の異なる搬送波出力を前記搬送波／信号分離手段で得られる前記２つの信号出力にそれぞれ合成する搬送波・信号再合成手段と、前記搬送波・信号再合成手段の２つの出力をそれぞれ別々に位相検波する位相検波手段と、前記位相検波手段で得られる２つの位相検波出力を演算してベースバンド復調信号を得る演算手段とを備える。
【００１１】
本願発明のＳＳＢ信号受信装置では、図２に示すように、周波数変換回路２０に入力された搬送波付きのＳＳＢ受信信号１０は、ＩＦ信号（中間周波信号）に周波数変換されＩＦ信号出力２１として、搬送波／信号分離回路３０に出力される。搬送波／信号分離回路３０に入力されたＩＦ信号出力２１は、搬送波成分３３と位相および振幅が同じ２つの信号成分３１、３２とにそれぞれ分離される。
【００１２】
２つの信号成分３１、３２と搬送波成分３３とは搬送波・信号再合成回路４０に入力され、搬送波成分３３が２つに分配された後に、２つに分配された搬送波成分の位相または振幅が異なるように変換した後に、信号成分３１、３２と合成し、２つの合成信号５１、６１が生成される。
【００１３】
搬送波・信号再合成回路４０から出力された合成信号５１、６１は、位相検波器５０、６０で位相検波され、得られた検波信号５２、６２は演算回路７０にそれぞれ入力される。演算回路７０に入力された検波信号５２、６２は、２つの検波信号５２、６２から復調信号を得るための演算が行われ、得られた復調信号が出力される。
【発明の効果】
【００１４】
本発明により、従来よりも簡易かつ正確にＳＳＢ信号を位相検波して正確な受信信号を得ることができる。
【発明を実施するための最良の形態】
【００１５】
以下、図面を参照して、発明の実施の形態を詳細に説明する。なお、発明の実施の形態を説明するための全図において、同一機能を有するものは同一符号を付け、その繰り返しの説明は省略する。
【００１６】
（第一の実施形態）
図３は本発明の第一の実施形態のＳＳＢ信号受信装置の概略構成を説明するための図である。第一の実施形態のＳＳＢ信号受信装置は、搬送波・信号再合成回路４０と演算回路７０の詳細な構成以外は、前述の図２に示すＳＳＢ信号受信装置と同じ構成である。従って、以下の説明では、搬送波・信号再合成回路４０および演算回路７０について詳細に説明する。
【００１７】
図３に示すように、第一の実施形態のＳＳＢ信号受信装置では、搬送波・信号再合成回路４０は、入力された搬送波成分３３を増幅する増幅器４３と、増幅された搬送波成分４４を分配する分配器４５と、分配された一方の搬送波成分４６と信号成分３１とを合成する合成器４１と、分配された他方の搬送波成分４７の位相を１８０゜ずらし位相反転させる１８０゜移相器４８と、位相反転された搬送波成分４９と信号成分３２とを合成する合成器４２とから構成されている。
【００１８】
また、演算回路７０は、検波信号５２をｔａｎ変換（タンジェント変換）するｔａｎ変換器７１と、検波信号６２をｔａｎ変換するｔａｎ変換器７２と、ｔａｎ変換信号７３とｔａｎ変換信号７４とを加算する加算器７５と、ｔａｎ変換信号７４からｔａｎ変換信号７３を減算する減算器７６と、加算信号７７を減算信号７８で除算する除算器７９とから構成されている。
【００１９】
従って、周波数変換回路２０に入力された搬送波付きのＳＳＢ受信信号１０は、ＩＦ信号に周波数変換されＩＦ信号出力２１として搬送波／信号分離回路３０に出力される。搬送波／信号分離回路３０に入力されたＩＦ信号出力２１は、位相および振幅が同じ２つの信号成分３１、３２と搬送波成分３３とに分離される。搬送波／信号分離回路３０で分離された搬送波成分３３は、送出時の搬送波抑圧度により決まる搬送波の送出時の振幅を調整するために増幅器４３で増幅され、増幅された搬送波成分４４は分配器４５で２つの搬送波成分４６と搬送波成分４７と分配される。
【００２０】
分配された一方の搬送波成分４６は合成器４１に入力され、搬送波／信号分離回路３０からの信号成分３１と合成されて合成信号５１が生成される。一方、分配された他方の搬送波成分４７は１８０゜移相器４８で位相反転され、位相反転された搬送波成分４９が合成器４２に入力され、搬送波／信号分離回路３０からの信号成分３２と合成されて合成信号６１が生成される。
【００２１】
合成器４１で生成された合成信号５１は搬送波・信号再合成回路４０の出力として位相検波器５０で位相検波され、検波信号５２が得られる。また、合成器４２で生成された合成信号６１は搬送波・信号再合成回路４０の出力として位相検波器６０で位相検波され、検波信号６２が得られる。
【００２２】
位相検波器５０で検波された検波信号５２はｔａｎ変換器７１でｔａｎ変換され、得られたｔａｎ変換信号７３は加算器７５と減算器７６とに出力される。また、位相検波器６０で検波された検波信号６２はｔａｎ変換器７２でｔａｎ変換され、得られたｔａｎ変換信号７４は加算器７５と減算器７６とに出力される。
【００２３】
加算器７５に入力されたｔａｎ変換信号７３とｔａｎ変換信号７４とは加算され、得られた加算信号７７は除算器７９に出力される。減算器７６に入力されたｔａｎ変換信号７３とｔａｎ変換信号７４とはｔａｎ変換信号７４からｔａｎ変換信号７３が減算され、得られた減算信号７８が除算器７９に出力される。
【００２４】
除算器７９では、加算信号７７が減算信号７８で除算され、得られた除算信号８０が復調信号として出力される。
【００２５】
次に、実施形態１のＳＳＢ信号受信装置の動作を、数式を用いて説明する。ＳＳＢ受信信号１０は、周波数変換回路２０によりＩＦ信号出力２１となって出力される。ＩＦ信号出力２１における搬送波角周波数をωc、搬送波の振幅をＣ（受信側では既知である）、ベースバンド信号をｇ（ｔ）、変調指数をｍ、ベースバンド信号のヒルベルト変換をｇh（ｔ）とすると、ＳＳＢ信号を受信した場合のＩＦ信号出力２１は、受信信号振幅をＡとすると
A[{C+mg(t)}cosωct+mgh(t)sinωct]         ・・・（２１）
で表される。なお、送信側でのＳＳＢの搬送波抑圧度は１以下である。また、｜ｍｇ（ｔ）｜＜１とする。ＩＦ信号出力２１は、搬送波／信号分離回路３０により、搬送波成分３３
ACcosωct                                 ・・・（３３）
および信号成分３１および３２
A{mg(t)cosωct+mgh(t)sinωct}             ・・・（３１，３２）
に分離される。搬送波成分３３は、増幅器４３によりＣ1／Ｃ倍になるよう増幅され、増幅された搬送波成分４４
AC1cosωct                              ・・・（４４）
として出力される。さらに分配器４５で搬送波成分４６と４７に分配されるが、信号も分配されるので、
AC1cosωct                                  ・・・（４６，４７）
で表す。搬送波成分４７はさらに１８０°移相器４８により位相反転された搬送波成分４９
-AC1cosωct                                 ・・・（４９）
となる。搬送波／信号分離回路３０により分離された信号成分３１は、合成器４１により増幅された搬送波成分４６と合成され、合成信号５１
A[{C1+mg(t)}cosωct+mgh(t)sinωct]         ・・・（５１）
となる。一方、搬送波／信号分離回路３０により分離された信号成分３２は、合成器４２により増幅された位相反転搬送波成分４９と合成され、合成信号６１
A[{-C1+mg(t)}cosωct+mgh(t)sinωct]        ・・・（６１）
となる。合成信号５１および６１は、位相検波器５０および６０により位相検波され、検波信号５２および６２
φ1=arctan[mgh(t)/{C1+mg(t)}]              ・・・（５２）
φ2=arctan[-mgh(t)/{C1-mg(t)}]             ・・・（６２）
を得る。検波信号５２および６２は、それぞれｔａｎ変換器７１および７２によりｔａｎ変換され、ｔａｎ変換信号７３および７４
tanφ1=mgh(t)/{C1+mg(t)}                   ・・・（７３）
tanφ2=-mgh(t)/{C1-mg(t)}                  ・・・（７４）
を得る。
【００２６】
式（７３）（７４）からｍｇh（ｔ）を消去すると、
mg(t)/C1=(tanφ1+tanφ2)/(-tanφ1+tanφ2)     ・・・（８０）
を得る。これを変形すると、
mg(t)/C1=(sinφ1cosφ2+cosφ1sinφ2)/(-sinφ1cosφ2+cosφ1sinφ2)
=sin(φ1+φ2)/sin(-φ1+φ2)                     ・・・（８０’）
この式（８０）の右辺を回路で具体化すると、図３の演算回路７０となる。従って、出力（除算信号）８０はｍｇ（ｔ）／Ｃ1であり、図３により、ベースバンド信号ｇ（ｔ）に比例した出力を得ることができる。
【００２７】
従って、第一の実施形態のＳＳＢ信号受信装置は、搬送波／信号分離回路、搬送波・信号再合成回路、位相検波回路および演算回路という従来のＳＳＢ信号受信装置よりも簡易な構成で、正確にＳＳＢ信号を位相検波して正確な受信信号を得ることができる。
【００２８】
また、ＳＳＢ−ＡＭ信号やＤＳＢ−ＡＭ信号等の振幅変調信号から搬送波付きのＳＳＢ信号を生成する回路を用いることによって、これらの振幅変調信号を復調する場合であっても位相検波することができるので、フェージングなどの影響を軽減することができる。
【００２９】
また、図４は式（８０’）の右辺を表現したものである。
【００３０】
検波信号５２はφ1であり、検波信号６２はφ2であるので、式（８０’）の右辺を回路で具体化すると、図４の演算回路１７０となる。従って、図４の演算回路１７０でもベースバンド信号ｇ（ｔ）に比例した出力を得ることができる。
【００３１】
図４の演算回路１７０は、加算器７５、減算器７６、ｓｉｎ変換器９３、９４、および除算器７９から構成されている。
【００３２】
位相検波器５０からの検波信号５２は加算器７５と減算器７６とにそれぞれ入力され、位相検波器６０からの検波信号６２は加算器７５と減算器７６とにそれぞれ入力される。加算器７５では検波信号５２と検波信号６２とが加算され、減算器７６では検波信号６２から検波信号５２が減算される。
【００３３】
加算器７５で得られた加算信号９１はｓｉｎ変換器９３に出力され、減算器７６で得られた減算信号９２はｓｉｎ変換器９４に出力される。ｓｉｎ変換器９３で得られたｓｉｎ変換信号９５は、除算器７９により、ｓｉｎ変換器９４で得られたｓｉｎ変換信号９６で除算され、得られた信号が除算信号８０として出力される。
【００３４】
従って、図４のＳＳＢ信号受信装置でも、搬送波／信号分離回路、搬送波・信号再合成回路、位相検波回路および演算回路という従来のＳＳＢ信号受信装置よりも簡易な構成で、正確にＳＳＢ信号を位相検波して正確な受信信号を得ることができる。
【００３５】
なお、式（８０）の変形式は式（８０’）だけではなく、他の変形も可能であり、従って、ベースバンド信号ｇ（ｔ）に比例した出力を得る演算回路は、図３、図４の演算回路に限定されるものではない。
【００３６】
（第二の実施形態）
図５は本発明の第二の実施形態のＳＳＢ信号受信装置の概略構成を説明するための図である。第二の実施形態のＳＳＢ信号受信装置は、搬送波・信号再合成回路２４０と演算回路２７０との詳細な構成以外は、前述の図２に示すＳＳＢ信号受信装置と同じ構成である。従って、以下の説明では、搬送波・信号再合成回路２４０および演算回路２７０について詳細に説明する。
【００３７】
図５に示すように、搬送波・信号再合成回路２４０は増幅器４３、３８、分配器４５、および合成器４１、４２で構成され、演算回路２７０はｔａｎ変換器７１、７２、増幅器８３、８４、減算器８７、７６、除算器７９で構成される。
【００３８】
従って、搬送波・信号再合成回路２４０に入力された搬送波成分３３は増幅器４３でＣ1／Ｃ倍に増幅され、増幅された搬送波成分４４が分配器４５で搬送波成分４６、４７に分配される。分配された一方の信号である搬送波成分４６は、第一の実施形態と同様に、分離された信号成分３１と合成器４１で合成される。分配器４５で分配された他方の信号である搬送波成分４７は増幅器３８でＣ2／Ｃ1倍（Ｃ2≠Ｃ1）に増幅され、この増幅された搬送波成分３９が、分離された信号成分３２と合成器４２で合成される。
【００３９】
合成器４１、４２で得られた合成信号５１、８１はそれぞれ位相検波器５０、６０で位相検波され、得られた検波信号５２、８２がそれぞれ演算回路２７０に出力される。検波信号５２はｔａｎ変換器７１でｔａｎ変換され、得られたｔａｎ変換信号７３は増幅器８３と減算器７６とに出力される。検波信号８２はｔａｎ変換器７２でｔａｎ変換され、得られたｔａｎ変換信号７４が増幅器８４と減算器７６とに出力される。
【００４０】
ｔａｎ変換信号７３、７４が入力された減算器７６では、ｔａｎ変換信号７４からｔａｎ変換信号７３が減算され、得られた減算信号８９が除算器７９の除算入力に出力される。増幅器８３でＣ1倍に増幅された信号８５は減算器８７に出力され、増幅された信号８５から増幅器８４でＣ2倍に増幅された信号８６が減算され、得られた減算信号８８が除算器７９に出力される。除算器７９では、減算信号８８が減算信号８９で除算され、得られた除算信号２８０が復調信号として出力される。
【００４１】
次に、第二の実施形態の搬送波・信号再合成回路２４０および演算回路２７０の回路の動作を、数式を用いて説明する。搬送波／信号分離回路３０からの出力である信号成分３１および３２と搬送波成分３３を得るまでは第一の実施形態と同一である。
【００４２】
搬送波成分３３は、増幅器４３によりＣ1／Ｃ倍になるよう増幅され、増幅された搬送波成分４４
AC1cosωct                                ・・・（４４’）
として出力される。さらに分配器４５で搬送波成分４６と４７
AC1cosωct                                ・・・（４６’，４７’）
に分配され、搬送波成分４７はさらに増幅器３８によりＣ2／Ｃ1倍（Ｃ2≠Ｃ1）になるよう増幅された搬送波成分３９
AC2cosωct                                ・・・（３９）
となる。搬送波／信号分離回路３０により分離された信号成分３１は、増幅された搬送波成分４６と合成器４１により合成され、合成信号５１
A[{C1+mg(t)}cosωct+mgh(t)sinωct]        ・・・（５１’）
となる。一方、搬送波／信号分離回路３０により分離された信号成分３２は、増幅された搬送波成分３９と合成器４２により合成され、合成信号８１
A[{C2+mg(t)}cosωct+mgh(t)sinωct]        ・・・（８１）
となる。合成信号５１および８１は、位相検波器５０および６０により位相検波され、検波信号５２および８２
φ1=arctan[mgh(t)/{C1+mg(t)}]             ・・・（５２’）
φ2=arctan[mgh(t)/{C2+mg(t)}]             ・・・（８２）
を得る。検波信号５２および８２はそれぞれｔａｎ変換器７１および７２によりｔａｎ変換され、ｔａｎ変換信号７３および７４
tanφ1=mgh(t)/{C1+mg(t)}                  ・・・（７３’）
tanφ2=mgh(t)/{C2+mg(t)}                  ・・・（７４’）
を得る。
【００４３】
式（７３’）、式（７４’）からｍｇh（ｔ）を消去すると、
mg(t)={C1tanφ1-C2tanφ2}/{-tanφ1+tanφ2}    ・・・（２８０）
となる。
【００４４】
図５の演算回路２７０は、式（２８０）の右辺を回路化したものであり、従って出力２８０にはベースバンド信号に比例した出力が得られる。
【００４５】
従って、第二の実施形態のＳＳＢ信号受信装置でも、搬送波／信号分離回路、搬送波・信号再合成回路、位相検波回路および演算回路という従来のＳＳＢ信号受信装置よりも簡易な構成で、正確にＳＳＢ信号を位相検波して正確な受信信号を得ることができる。
【００４６】
なお、復調信号がｍｇh（ｔ）であっても問題ない場合は、
(C2-C1)sinφ1sinφ2/sin(φ2-φ1)
=(C2-C1)/(cotφ2-cotφ1)
=(C2-C1)/[{C2+mg(t)}/mgh(t)-{C1+mg(t)}/mgh(t)]
=mgh(t)
により、復調信号としてｍｇh（ｔ）を得る方法もある。この場合もｍｇ（ｔ）の場合と同様に、この式から演算回路を得ることができる。
【００４７】
（第三の実施形態）
図６は本発明の第三の実施形態のＳＳＢ信号受信装置の概略構成を説明するための図である。第三の実施形態のＳＳＢ信号受信装置は、第一の実施形態の搬送波・信号再合成回路を任意の位相に搬送波を移相させる構成にしたものである。従って、以下の説明では、搬送波・信号再合成回路３４０および演算回路３７０について詳細に説明する。
【００４８】
図６に示すように、搬送波・信号再合成回路３４０は増幅器４３、分配器４５、移相器５３、および合成器４１、４２で構成され、演算回路３７０はｔａｎ変換器７１、７２、増幅器８４、減算器８７、７６、加算器９７、増幅器９９、および除算器７９で構成される。
【００４９】
従って、分配器４５で２つの搬送波成分４６と搬送波成分４７と分配された一方の搬送波成分４６は合成器４１に入力され、搬送波／信号分離回路３０からの信号成分３１と合成されて合成信号５１が生成される。一方、分配された他方の搬送波成分４７は移相器５３で任意の位相ψ（ただし、ψ≠０）だけ移相され、この移相された搬送波成分５４が合成器４２に入力され、搬送波／信号分離回路３０からの信号成分３２と合成されて合成信号５５が生成される。
【００５０】
合成器４１で生成された合成信号５１は搬送波・信号再合成回路３４０の出力として位相検波器５０で位相検波され、検波信号５２が得られる。また、合成器４２で生成された合成信号５５は搬送波・信号再合成回路３４０の出力として位相検波器６０で位相検波され、検波信号６２が得られる。
【００５１】
検波信号５２はｔａｎ変換器７１でｔａｎ変換され、得られたｔａｎ変換信号７３は減算器８７、７６に出力される。また、検波信号６２はｔａｎ変換器７２でｔａｎ変換され、得られたｔａｎ変換信号７４は増幅器８４と減算器７６に出力される。
【００５２】
ｔａｎ変換信号７３、７４が入力された減算器７６では、ｔａｎ変換信号７４からｔａｎ変換信号７３が減算され、得られた減算信号８９が除算器７９の除算入力に出力される。増幅器８４でｃｏｓψ倍に増幅された信号８６は減算器８７に出力され、ｔａｎ変換信号７３から増幅器８４でｃｏｓψ倍に増幅された信号８６が減算され、得られた減算信号が加算器９７に出力される。減算器８７からの減算信号は加算器９７によりｓｉｎψが加算され、得られた加算信号９８が増幅器９９でＣ1倍された信号１００が除算器７９に出力される。除算器７９では、信号１００が減算信号８９で除算され、得られた除算信号８０が復調信号として出力される。
【００５３】
次に、第三の実施形態の搬送波・信号再合成回路３４０および演算回路３７０の回路の動作を、数式を用いて説明する。搬送波／信号分離回路３０からの出力である信号成分３１および３２と搬送波成分３３を得るまでは第一の実施形態と同一である。
【００５４】
搬送波成分３３は、増幅器４３によりＣ1／Ｃ倍になるように増幅され、増幅された搬送波成分４４
AC1cosωct                                  ・・・（４４）
として出力される。さらに分配器４５で４６と４７
AC1cosωct ・・・（４６，４７）
に分配された搬送波成分の内で、他方の搬送波成分４７はさらに移相器５３によりψ（ただしψ≠０）だけ移相された搬送波成分５４
AC1cos(ωct-ψ) ・・・（５４）
となる。搬送波／信号分離回路３０により分離された信号３１は、搬送波成分４６と合成器４１により合成され、合成信号５１は
A[{C1+mg(t)}cosωct+mgh(t)sinωct] ・・・（５１）
となる。一方、搬送波／信号分離回路３０により分離された信号３２は、移相された搬送波成分５４と合成器４２により合成され、合成信号５５
A[{C1cosψ+mg(t)}cosωct+{C1sinψ+mgh(t)}sinωct]     ・・・（５５）
となる。合成信号５１および５５は、位相検波器５０および６０により位相検波され、検波信号５２および６２
φ1=arctan[mgh(t)/{C1+mg(t)}] ・・・（５２）
φ2=arctan[{C1sinψ+mgh(t)}/{C1cosψ+mg(t)}] ・・・（６２’）
を得る。検波信号５２および６２はそれぞれｔａｎ変換器７１および７２によりｔａｎ変換され、ｔａｎ変換信号７３および７４
tanφ1=mgh(t)/{C1+mg(t)} ・・・（７３）
tanφ2={C1sinψ+mgh(t)}/{C1cosψ+mg(t)} ・・・（７４’’）
を得る。
【００５５】
式（７３）、式（７４’’）よりｍｇh（ｔ）を消去すると、
mg(t)={C1(tanφ1-cosψtanφ2+sinψ}/{-tanφ1+tanφ2}  ・・（８０’’’）
となる。
【００５６】
式（８０’’’）の右辺は、図６の演算回路３７０と同じであり、従って出力８０にはベースバンドに比例した出力が得られる。
【００５７】
なお、復調信号がｍｇh（ｔ）であっても問題のない場合には、
C1tanφ1(sinψ+tanφ2-cosψtanφ2)/(tanφ2-tanφ1)
により、復調信号としてｍｇh（ｔ）を得る。この場合もｍｇ（ｔ）の場合と同様に、この式から演算回路を得ることができる。
【００５８】
以上説明した各実施形態では、搬送波・信号再合成回路４０において、分配器４５で分配した搬送波成分の一方に対して移相器または増幅器を挿入する構成としたが、これに限定することはなく、他方の搬送波成分に対しても移相器または増幅器を挿入してもよいことはいうまでもない。この場合には、２つの搬送波成分の位相または増幅率が異なるように２つの移相器または２つの増幅器を挿入する。そして、各実施形態における計算と同様な計算を行いｍｇ（ｔ）またはｍｇh（ｔ）の式を得て、その式に基づいて演算回路を構成することができる。
【００５９】
また、各実施形態では、単側波帯信号として下側波帯信号の場合について説明したが、これに限定されることはなく上側波帯信号にも適用可能なことはいうまでもない。
【００６０】
また、各実施の形態のＳＳＢ信号受信装置は回路で構成しているが、各実施の形態のＳＳＢ信号受信装置を構成する回路の一部または全部を、ＤＳＰ（デジタル・シグナル・プロセッサ）またはＣＰＵと記憶装置に格納したプログラムで構成してもよい。
【００６１】
以上、本発明者によってなされた発明を、前記発明の実施の形態に基づき具体的に説明したが、本発明は、前記発明の実施の形態に限定されるものではなく、その要旨を逸脱しない範囲において種々変更可能であることは勿論である。
【図面の簡単な説明】
【００６２】
【図１】位相検波による従来のＳＳＢ信号受信装置の概略構成を説明するための図である。
【図２】本発明によるＳＳＢ信号受信装置の概要構成を説明するための図である。
【図３】本発明によるＳＳＢ信号受信装置の第一の実施形態を説明するための図である。
【図４】本発明によるＳＳＢ信号受信装置の第二の実施形態を説明するための図である。
【図５】本発明によるＳＳＢ信号受信装置の第三の実施形態を説明するための図である。
【図６】本発明によるＳＳＢ信号受信装置の第三の実施形態を説明するための図である。
【符号の説明】
【００６３】
１０…ＳＳＢ受信信号
２０…周波数変換回路                    ２１…ＩＦ信号出力
３０…搬送波／信号分離回路              ３１、３２…信号成分
３３…搬送波成分                        ３８…増幅器
３９…搬送波成分
４０、２４０、３４０…搬送波・信号再合成回路
４１、４２…合成器
４３…増幅器                            ４４…搬送波成分
４５…分配器                            ４６、４７…搬送波成分
４８…１８０゜移相器                    ４９…搬送波成分
５０、６０…位相検波器                  ５１、６１…合成信号
５２、６２…検波信号
５３…移相器                            ５４…搬送波成分
７０、１７０、２７０、３７０…演算回路  ７１、７２…ｔａｎ変換器
７３、７４…ｔａｎ変換信号              ７５…加算器
７６…減算器                            ７７…加算信号
７８…減算信号                          ７９…除算器
８０、２８０…除算信号                  ５５、８１…合成信号
８２…検波信号                          ８３、８４…増幅器
８５、８６…信号                        ８７…減算器
８８、８９…減算信号
９１…加算信号                          ９２…減算信号
９３、９４…ｓｉｎ変換器                ９５、９６…ｓｉｎ変換信号
９７…加算器                            ９８…加算信号
９９…増幅器                            １００…信号
【図１】
2005328184.tif 000003
【図２】
2005328184.tif 000004
【図３】
2005328184.tif 000005
【図４】
2005328184.tif 000006
【図５】
2005328184.tif 000007
【図６】
2005328184.tif 000008